(57)【要約】【課題】ラベルが台紙から剥離されてしまった後においても、ラベルが物品等に貼付された際、台紙に貼付されていたラベルがどの物品等に貼付されているかを判断可能とする。【解決手段】表面に情報が記載可能に構成されるとともに、非接触状態にて情報の書き込み及び読み出しが可能なラベル１０と、ラベル１０が剥離可能に貼付された台紙２０とから構成されるラベルユニットにおいて、ラベル１０の台紙２０との貼付面にカーボン層１５を設ける。【選択図】　図１
2004093840.tif 000002
【特許請求の範囲】
【請求項１】
非接触状態にて情報の書き込み及び読み出しが可能なＩＣモジュールが内蔵されるとともに、一方の面が、情報が記載可能に構成された情報記載面であり、他方の面が貼付面であるラベルあって、
前記貼付面は、複写機能を有することを特徴とするラベル。
【請求項２】
請求項１に記載のラベルにおいて、
前記貼付面は、
前記複写機能を果たすカーボン層と、
前記カーボン層を避けるように積層された接着層とを有することを特徴とするラベル。
【請求項３】
一方の面が、情報が記載可能に構成された情報記載面であり、他方の面が貼付面であるラベルと、前記ラベルの貼付面が剥離可能に構成されて該貼付面に貼付された台紙とからなるラベルユニットであって、
前記ラベル及び前記台紙は、レーザにより同一情報が表現されるような加工が施されていることを特徴とするラベルユニット。
【請求項４】
請求項３に記載のラベルユニットにおいて、
前記ラベル及び前記台紙は、前記同一情報が表現されるような穴がレーザにより形成されていることを特徴とするラベルユニット。
【請求項５】
請求項３に記載のラベルユニットにおいて、
前記ラベルは、前記同一情報が表現されるような穴がレーザにより形成され、
前記台紙は、前記同一情報が表現されるような変色領域がレーザにより形成されていることを特徴とするラベルユニット。
【請求項６】
請求項３乃至５のいずれか１項に記載のラベルユニットにおいて、
前記ラベルは、非接触状態にて情報の書き込み及び読み出しが可能なＩＣモジュールが内蔵され、
前記ラベルと前記台紙とにより、複写機能を有することを特徴とするラベルユニット。
【請求項７】
請求項６に記載のラベルユニットにおいて、
前記貼付面には、押圧により発色する発色剤が塗布され、
前記台紙の前記貼付面に貼付される面には、前記発色剤に対向する領域に前記発色剤と混ざり合うことにより発色する顕色剤が塗布されていることを特徴とするラベルユニット。
【請求項８】
請求項６に記載のラベルユニットにおいて、
前記台紙は、押圧により当該台紙上にて発色する発色剤が塗布されていること特徴とするラベルユニット。
【発明の詳細な説明】
【０００１】
【発明の属する技術分野】
本発明は、物品等に貼付可能なラベル及びこのラベルと台紙とからなるラベルユニットに関し、特に、表面に情報が記載されるラベル及びラベルユニットに関する。
【０００２】
【従来の技術】
図８は、表面に情報が記載可能な従来のラベルユニットの一例を示す図である。
【０００３】
本従来例は図８に示すように、表面に情報が記載可能に構成されたラベル５１０と、ラベル５１０が剥離可能に貼付された台紙５２０とから構成されている。ラベル５１０は、情報が記載可能な紙５０１と、紙５０１の一方の面に塗布された接着剤からなる接着層５１２とから構成され、また、台紙５２０は、紙５２１と、紙５２１のラベル５１０が貼付される面に、ラベル５１０が剥離可能となるように塗布されたシリコン５２２とから構成されている。
【０００４】
上記のように構成されたラベルユニットを、ラベル５１０に所望の情報を記入して使用する場合、まず、ラベル５１０を構成する紙５１１の表面に所望の情報を記入する。
【０００５】
その後、ラベル５１０を台紙から剥離し、所望の物品等に貼付する。
【０００６】
これにより、所望の情報が記載されたラベルを所望の物品等に貼付することができる。
【０００７】
【発明が解決しようとする課題】
しかしながら、上述したような従来のラベルユニットにおいては、所望の情報をラベルに記入した場合、その情報がラベルにのみ記載されることになるため、ラベルが台紙から剥離されてしまうと、このラベルが物品等に貼付された際、台紙に貼付されていたラベルがどの物品等に貼付されているかを判断することができなくなってしまうという問題点がある。
【０００８】
本発明は、上述したような従来の技術が有する問題点に鑑みてされたものであって、ラベルが台紙から剥離されてしまった後においても、ラベルが物品等に貼付された際、台紙に貼付されていたラベルがどの物品等に貼付されているかを判断することができるラベル及びラベルユニットを提供することを目的とする。
【０００９】
【課題を解決するための手段】
上記目的を達成するために本発明は、
非接触状態にて情報の書き込み及び読み出しが可能なＩＣモジュールが内蔵されるとともに、一方の面が、情報が記載可能に構成された情報記載面であり、他方の面が貼付面であるラベルあって、
前記貼付面は、複写機能を有することを特徴とする。
【００１０】
また、前記貼付面は、
前記複写機能を果たすカーボン層と、
前記カーボン層を避けるように積層された接着層とを有することを特徴とする。
【００１１】
また、一方の面が、情報が記載可能に構成された情報記載面であり、他方の面が貼付面であるラベルと、前記ラベルの貼付面が剥離可能に構成されて該貼付面に貼付された台紙とからなるラベルユニットであって、
前記ラベル及び前記台紙は、レーザにより同一情報が表現されるような加工が施されていることを特徴とする。
【００１２】
また、前記ラベル及び前記台紙は、前記同一情報が表現されるような穴がレーザにより形成されていることを特徴とする。
【００１３】
また、前記ラベルは、前記同一情報が表現されるような穴がレーザにより形成され、
前記台紙は、前記同一情報が表現されるような変色領域がレーザにより形成されていることを特徴とする。
【００１４】
また、前記ラベルは、非接触状態にて情報の書き込み及び読み出しが可能なＩＣモジュールが内蔵され、
前記ラベルと前記台紙とにより、複写機能を有することを特徴とする。
【００１５】
また、前記貼付面には、押圧により発色する発色剤が塗布され、
前記台紙の前記貼付面に貼付される面には、前記発色剤に対向する領域に前記発色剤と混ざり合うことにより発色する顕色剤が塗布されていることを特徴とする。
【００１６】
また、前記台紙は、押圧により当該台紙上にて発色する発色剤が塗布されていること特徴とする。
【００１７】
（作用）
上記のように構成された本発明においては、非接触状態にて情報の書き込み及び読み出しが可能なＩＣモジュールが内蔵されたラベルが台紙に剥離可能に貼付された状態にて、ラベルの表面の情報記載面に所望の情報を記入すると、ラベルの台紙との貼付面における複写機能により、記入された情報が台紙に複写される。
【００１８】
これにより、ラベルが台紙から剥離されてしまった後においても、ラベルに記入された情報が台紙にも記入されていることになるため、ラベルが物品等に貼付された際、台紙に貼付されていたラベルがどの物品等に貼付されているかを判断することができる。
【００１９】
また、一方の面が、情報が記載可能に構成された情報記載面であり、他方の面が貼付面であるラベルと、ラベルの貼付面が剥離可能に構成されて該貼付面に貼付された台紙とからなるラベルユニットにおいて、ラベル及び台紙に対して、レーザにより同一情報が表現されるような加工が施されている場合においても、ラベルが台紙から剥離されてしまった後においても、ラベルが物品等に貼付された際、ラベル及び台紙に施された加工によって表現される同一情報に基づいて、台紙に貼付されていたラベルがどの物品等に貼付されているかを判断することができる。
【００２０】
【発明の実施の形態】
以下に、本発明の実施の形態について図面を参照して説明する。
【００２１】
（第１の実施の形態）
図１は、本発明のラベルユニットの第１の実施の形態を示す図であり、（ａ）は内部構造を示す図、（ｂ）は（ａ）に示したＡ−Ａ’断面図である。
【００２２】
本形態は図１に示すように、表面に情報が記載可能に構成されるとともに、非接触状態にて情報の書き込み及び読み出しが可能なラベル１０と、ラベル１０が剥離可能に貼付され、ラベル１０に記入された情報が複写される台紙２０とから構成されている。また、ラベル１０は、情報が記載可能な紙１１と、紙１１に印刷等により形成された導電性を有するコイル状のアンテナ１４と、アンテナ１４と接続されて紙１１上に搭載され、アンテナ１４を介して情報の書き込み及び読み出しが可能なＩＣモジュール１３と、紙１１のＩＣモジュール１３が搭載された面において、ＩＣモジュール１３及びアンテナ１４を避けるように紙１１に積層されたカーボン層１５と、紙１１のＩＣモジュール１３が搭載された面において、カーボン層１５が積層された領域を避けるように塗布された接着剤からなる接着層１２とから構成され、また、台紙２０は、紙２１と、紙２１のラベル１０が貼付される面において、接着層１２と対向する領域にラベル１０が剥離可能となるように塗布されたシリコン２２とから構成されている。なお、実際には、接着層１２は、ＩＣモジュール１３をも避けるように形成される場合もある。また、ラベル１０及び台紙２０には、同一形状あるいは同一パターンを有し、ＩＣモジュール１３を識別可能となるような情報を表現する穴３０が形成されている。
【００２３】
以下に、上記のように構成されたラベルユニットの製造方法について説明する。
【００２４】
図２は、図１に示したラベルユニットの製造方法を説明するための図である。
【００２５】
まず、ラベル１０を構成する紙１１の一方の面に、印刷等の工程により、導電性を有するコイル状のアンテナ１４を形成する（図２（ａ））。
【００２６】
次に、ラベル１０のアンテナ１４が形成された面において、アンテナ１４が形成されていない領域にカーボン層１５を形成する（図２（ｂ））。
【００２７】
次に、アンテナ１４と電気的に接続するように紙１１のアンテナ１４が形成された面にＩＣモジュール１３を搭載する（図２（ｃ））。
【００２８】
次に、紙１１のカーボン層１５が形成された面のうちカーボン層１５が形成されていない領域に接着層１２を構成する接着剤を塗布しながら、紙２１にシリコン２２が塗布されて構成された台紙２０を接着する（図２（ｄ））。
【００２９】
その後、ＩＣモジュール１３に書き込まれた識別情報を読み出し、この識別情報を表現するような形状あるいはパターンを有する穴３０をレーザによって形成する（図２（ｅ））。
【００３０】
上記一連の工程により、ラベル１０が台紙２０に剥離可能に接着されたラベルユニットが作成されるが、実際には、１つの台紙２０に複数のラベル１０が剥離可能に接着されており、さらに、複数の台紙２０とこれら複数の台紙２０に接着されるラベル１０とが同時に作成された後に、台紙毎に断裁されることになる。
【００３１】
以下に、上述したラベルユニットの使用方法について説明する。
【００３２】
図３は、図１に示したラベルユニットの使用方法を説明するための図であり、（ａ）はラベルが台紙に貼付され、かつ、ラベルには何も記入されていない状態を示す図、（ｂ）はラベルが台紙に貼付された状態であって、ラベルに情報が記入された状態を示す図、（ｃ）は情報が記入されたラベルが台紙から剥離された状態を示す図である。なお、本例では、１枚の台紙２０に２枚のラベル１０ａ，１０ｂが剥離可能に貼付されているものとする。
【００３３】
図３（ａ）に示すような、２枚のラベル１０ａ，１０ｂが台紙２０に貼付され、かつ、この２枚のラベル１０ａ，１０ｂに何も記入されていない状態において、図３（ｂ）に示すように、ラベル１０ａの表面に所望の情報を記入する。
【００３４】
ラベル１０ａの表面に記入された情報は、ラベル１０ａを構成する紙１１上に記入されることになるが、紙１１の裏面には複写機能を果たすカーボン層１５が形成されているため、紙１１に対する情報の記入に伴う押圧により、紙１１に記入された情報がカーボン層１５によって台紙２０の紙２１に複写される。
【００３５】
その後、台紙２０からラベル１０ａを剥離すると、図３（ｃ）に示すように、台紙２０のラベル１０ａが貼付されていた領域において、ラベル１０ａに記入された情報と同一の情報が視認可能となる。これにより、台紙２０からラベル１０ａを剥離した場合においても、ラベル１０ａと台紙２０とのマッチングを行うことが可能となる。
【００３６】
また、ラベル１０ａと台紙２０には、同一形状あるいは同一パターンを有する穴３０ａが形成されているため、この穴３０ａの形状あるいはパターンによってもラベル１０ａと台紙２０とのマッチングを行うことができる。
【００３７】
なお、本形態においては、ラベル１０と台紙２０とに、同一形状あるいは同一パターンを有する穴３０をレーザにより形成したが、ラベル１０の表面からレーザを照射し、ラベル１０には穴３０を形成するものの、台紙２０にはこの穴３０と同一形状あるいは同一パターンを有するこげ部等の変色領域を形成することも考えられる。
【００３８】
（第２の実施の形態）
図４は、本発明のラベルユニットの第２の実施の形態を示す図であり、（ａ）は内部構造を示す図、（ｂ）は（ａ）に示したＡ−Ａ’断面図である。
【００３９】
本形態は図４に示すように、表面に情報が記載可能に構成されるとともに、非接触状態にて情報の書き込み及び読み出しが可能なラベル１１０と、ラベル１１０が剥離可能に貼付され、ラベル１１０に記入された情報が複写される台紙１２０とから構成されている。また、ラベル１１０は、情報が記載可能な紙１１１と、紙１１１に印刷等により形成された導電性を有するコイル状のアンテナ１１４と、アンテナ１１４と接続されて紙１１１上に搭載され、アンテナ１１４を介して情報の書き込み及び読み出しが可能なＩＣモジュール１１３と、紙１１１のＩＣモジュール１１３が搭載された面において、ＩＣモジュール１１３及びアンテナ１１４を避けるように紙１１１に塗布された発色剤１１５と、紙１１１のＩＣモジュール１１３が搭載された面において、発色剤１１５が塗布された領域を避けるように塗布された接着剤からなる接着層１１２とから構成され、また、台紙１２０は、紙１２１と、紙１２１のラベル１１０が貼付される面において、接着層１１２と対向する領域にラベル１１０が剥離可能となるように塗布されたシリコン１２２と、紙１２１のラベル１１０が貼付される面において、発色剤１１５と対向する領域に塗布され、発色剤１１５と混ざり合うことにより発色する顕色剤１２３とから構成されている。なお、実際には、接着層１１２は、ＩＣモジュール１１３をも避けるように形成される場合もある。また、ラベル１１０及び台紙１２０には、同一形状あるいは同一パターンを有し、ＩＣモジュール１１３を識別可能となるような情報を表現する穴１３０が形成されている。
【００４０】
以下に、上記のように構成されたラベルユニットの製造方法について説明する。
【００４１】
図５は、図４に示したラベルユニットの製造方法を説明するための図である。
【００４２】
まず、ラベル１１０を構成する紙１１１の一方の面に、印刷等の工程により、導電性を有するコイル状のアンテナ１１４を形成する（図５（ａ））。
【００４３】
次に、ラベル１１０のアンテナ１１４が形成された面において、アンテナ１１４が形成されていない領域に発色剤１１５を塗布する（図５（ｂ））。
【００４４】
次に、アンテナ１１４と電気的に接続するように紙１１１のアンテナ１１４が形成された面にＩＣモジュール１１３を搭載する（図５（ｃ））。
【００４５】
次に、紙１１１の発色剤１１５が塗布された面のうち発色剤１１５が塗布されていない領域に接着層１１２を構成する接着剤を塗布しながら、紙１２１にシリコン１２２及び顕色剤１２３が塗布されて構成された台紙１２０を接着する（図５（ｄ））。
【００４６】
その後、ＩＣモジュール１１３に書き込まれた識別情報を読み出し、この識別情報を表現するような形状あるいはパターンを有する穴１３０をレーザによって形成する（図５（ｅ））。
【００４７】
上記一連の工程により、ラベル１１０が台紙１２０に剥離可能に接着されたラベルユニットが作成されるが、実際には、１つの台紙１２０に複数のラベル１１０が剥離可能に接着されており、さらに、複数の台紙１２０とこれら複数の台紙１２０に接着されるラベル１１０とが同時に作成された後に、台紙毎に断裁されることになる。
【００４８】
以下に、上述したラベルユニットの使用方法について説明する。
【００４９】
ラベル１１０が台紙１２０に貼付され、かつ、このラベル１１０に何も記入されていない状態において、ラベル１１０の表面に所望の情報を記入する。
【００５０】
ラベル１１０の表面に記入された情報は、ラベル１１０を構成する紙１１１上に記入されることになるが、紙１１１の裏面には、台紙１２０に塗布された顕色剤１２３と混ざり合うことにより発色する発色剤１１５が塗布されているため、紙１１１に対する情報の記入に伴う押圧によって、発色剤１１５を構成する粒子が顕色剤１２３と混ざり合い、それにより、紙１１１に記入された情報が台紙１２０の紙１２１に複写される。
【００５１】
その後、台紙１２０からラベル１１０を剥離すると、台紙１２０のラベル１１０が貼付されていた領域において、ラベル１１０に記入された情報と同一の情報が視認可能となる。これにより、台紙１２０からラベル１１０を剥離した場合においても、ラベル１１０と台紙１２０とのマッチングを行うことが可能となる。
【００５２】
また、ラベル１１０と台紙１２０には、同一形状あるいは同一パターンを有する穴１３０が形成されているため、この穴１３０の形状あるいはパターンによってもラベル１１０と台紙１２０とのマッチングを行うことができる。
【００５３】
なお、本形態においては、ラベル１１０と台紙１２０とに、同一形状あるいは同一パターンを有する穴１３０をレーザにより形成したが、ラベル１１０の表面からレーザを照射し、ラベル１１０には穴１３０を形成するものの、台紙１２０にはこの穴１３０と同一形状あるいは同一パターンを有するこげ部等の変色領域を形成することも考えられる。
【００５４】
（第３の実施の形態）
図６は、本発明のラベルユニットの第３の実施の形態を示す図であり、（ａ）は内部構造を示す図、（ｂ）は（ａ）に示したＡ−Ａ’断面図である。
【００５５】
本形態は図６に示すように、表面に情報が記載可能に構成されるとともに、非接触状態にて情報の書き込み及び読み出しが可能なラベル２１０と、ラベル２１０が剥離可能に貼付され、ラベル２１０に記入された情報が複写される台紙２２０とから構成されている。また、ラベル２１０は、情報が記載可能な紙２１１と、紙２１１に印刷等により形成された導電性を有するコイル状のアンテナ２１４と、アンテナ２１４と接続されて紙２１１上に搭載され、アンテナ２１４を介して情報の書き込み及び読み出しが可能なＩＣモジュール２１３と、紙２１１のＩＣモジュール２１３が搭載された面のうち所定の領域に塗布された接着剤からなる接着層２１２とから構成され、また、台紙２２０は、紙２２１と、紙２２１のラベル２１０が貼付される面において、接着層２１２と対向する領域にラベル２１０が剥離可能となるように塗布されたシリコン２２２と、紙２２１のラベル２１０が貼付される面において、シリコン２２２が塗布されていない領域に塗布され、押圧により発色する発色剤２２３とから構成されている。なお、実際には、接着層２１２は、ＩＣモジュール２１３をも避けるように形成される場合もある。また、ラベル２１０及び台紙２２０には、同一形状あるいは同一パターンを有し、ＩＣモジュール２１３を識別可能となるような情報を表現する穴３０が形成されている。
【００５６】
以下に、上記のように構成されたラベルユニットの製造方法について説明する。
【００５７】
図７は、図６に示したラベルユニットの製造方法を説明するための図である。
【００５８】
まず、ラベル２１０を構成する紙２１１の一方の面に、印刷等の工程により、導電性を有するコイル状のアンテナ２１４を形成する（図７（ａ））。
【００５９】
次に、アンテナ２１４と電気的に接続するように紙２１１のアンテナ２１４が形成された面にＩＣモジュール２１３を搭載する（図７（ｂ））。
【００６０】
次に、紙２１１の所定の領域に接着層２１２を構成する接着剤を塗布しながら、紙２２１にシリコン２２２及び発色剤２２３が塗布されて構成された台紙２２０を接着する（図７（ｃ））。
【００６１】
その後、ＩＣモジュール２１３に書き込まれた識別情報を読み出し、この識別情報を表現するような形状あるいはパターンを有する穴２３０をレーザによって形成する（図７（ｄ））。
【００６２】
上記一連の工程により、ラベル２１０が台紙２２０に剥離可能に接着されたラベルユニットが作成されるが、実際には、１つの台紙２２０に複数のラベル２１０が剥離可能に接着されており、さらに、複数の台紙２２０とこれら複数の台紙２２０に接着されるラベル２１０とが同時に作成された後に、台紙毎に断裁されることになる。
【００６３】
以下に、上述したラベルユニットの使用方法について説明する。
【００６４】
ラベル２１０が台紙２２０に貼付され、かつ、このラベル２１０に何も記入されていない状態において、ラベル２１０の表面に所望の情報を記入する。
【００６５】
ラベル２１０の表面に記入された情報は、ラベル２１０を構成する紙２１１上に記入されることになるが、紙２１１に対する情報の記入に伴う押圧によって、台紙２２０に塗布された発色剤２２３が発色し、それにより、紙２１１に記入された情報が台紙２２０の紙２２１に複写される。
【００６６】
その後、台紙２２０からラベル２１０を剥離すると、台紙２２０のラベル２１０が貼付されていた領域に、ラベル２１０に記入された情報と同一の情報が視認可能となる。これにより、台紙２２０からラベル２１０を剥離した場合においても、ラベル２１０と台紙２２０とのマッチングを行うことが可能となる。
【００６７】
また、ラベル２１０と台紙２２０には、同一形状あるいは同一パターンを有する穴２３０が形成されているため、この穴２３０の形状あるいはパターンによってもラベル２１０と台紙２２０とのマッチングを行うことができる。
【００６８】
なお、本形態においては、ラベル２１０と台紙２２０とに、同一形状あるいは同一パターンを有する穴２３０をレーザにより形成したが、ラベル２１０の表面からレーザを照射し、ラベル２１０には穴２３０を形成するものの、台紙２２０にはこの穴２３０と同一形状あるいは同一パターンを有するこげ部等の変色領域を形成することも考えられる。
【００６９】
また、上述した３つの形態においては、アンテナ及びこのアンテナを介して非接触状態にて情報の書き込み及び読み出しが可能なＩＣモジュールが内蔵された構成について説明したが、これらが内蔵されていないものであっても、複写機能を有するラベルであれば本発明を適用することができる。
【００７０】
【発明の効果】
以上説明したように本発明においては、非接触状態にて情報の書き込み及び読み出しが可能なＩＣモジュールが内蔵されるとともに、一方の面が、情報が記載可能に構成された情報記載面であり、他方の面が貼付面であるラベル、あるいは、このラベルと、ラベルの貼付面が剥離可能に構成されて該貼付面に貼付された台紙とからなるラベルユニットにおいて、ラベルと台紙との貼付面に複写機能を設けたため、ラベルが台紙から剥離されてしまった後においても、ラベルが物品等に貼付された際、台紙に貼付されていたラベルがどの物品等に貼付されているかを判断することができる。
【００７１】
また、一方の面が、情報が記載可能に構成された情報記載面であり、他方の面が貼付面であるラベルと、ラベルの貼付面が剥離可能に構成されて該貼付面に貼付された台紙とからなるラベルユニットにおいて、ラベル及び台紙に対して、レーザにより同一情報が表現されるような加工が施されているものにおいては、ラベルが台紙から剥離されてしまった後においても、ラベルが物品等に貼付された際、ラベル及び台紙に施された加工によって表現される同一情報に基づいて、台紙に貼付されていたラベルがどの物品等に貼付されているかを判断することができる。
【図面の簡単な説明】
【図１】本発明のラベルユニットの第１の実施の形態を示す図であり、（ａ）は内部構造を示す図、（ｂ）は（ａ）に示したＡ−Ａ’断面図である。
【図２】図１に示したラベルユニットの製造方法を説明するための図である。
【図３】図１に示したラベルユニットの使用方法を説明するための図であり、（ａ）はラベルが台紙に貼付され、かつ、ラベルには何も記入されていない状態を示す図、（ｂ）はラベルが台紙に貼付された状態であって、ラベルに情報が記入された状態を示す図、（ｃ）は情報が記入されたラベルが台紙から剥離された状態を示す図である。
【図４】本発明のラベルユニットの第２の実施の形態を示す図であり、（ａ）は内部構造を示す図、（ｂ）は（ａ）に示したＡ−Ａ’断面図である。
【図５】図４に示したラベルユニットの製造方法を説明するための図である。
【図６】本発明のラベルユニットの第３の実施の形態を示す図であり、（ａ）は内部構造を示す図、（ｂ）は（ａ）に示したＡ−Ａ’断面図である。
【図７】図７は、図６に示したラベルユニットの製造方法を説明するための図である。
【図８】表面に情報が記載可能な従来のラベルユニットの一例を示す図である。
【符号の説明】
１０，１０ａ，１０ｂ，１１０，２１０　　ラベル
１１，２１，１１１，１２１，２１１，２２１　　紙
１２，１１２，２１２　　接着層
１３，１１３，２１３　　ＩＣモジュール
１４，１１４，２１４　　アンテナ
１５　　カーボン層
２０，１２０，２２０　　台紙
２２，１２２，２２２　　シリコン
３０，３０ａ，３０ｂ，１３０，２３０　　穴
１１５，２２３　　発色剤
１２３　　顕色剤
【図１】
2004093840.tif 000003
【図２】
2004093840.tif 000004
【図３】
2004093840.tif 000005
【図４】
2004093840.tif 000006
【図５】
2004093840.tif 000007
【図６】
2004093840.tif 000008
【図７】
2004093840.tif 000009
【図８】
2004093840.tif 000010